(57)【要約】【課題】結ばれた帯の形状が容易に整えられ、帯の持ち運びが容易で、かつ収納に場所をとらない付け帯の提供。【解決手段】付け帯１０は、可撓性を有する素材から成り、所定の幅に形成された帯本体１３と、帯本体１３に設けられ、帯本体１３に巻き付くことにより帯本体１３の中央部を撓ませた状態で保持して蝶形に形成する帯状の結束片１５と、帯本体１３に設けられ、結束片１５及び結束片１５により蝶形に形成された帯本体１３を一体的に支持する平板状の支持片１６とを備える。【選択図】図４
0003194868.tif 000002
【実用新案登録請求の範囲】
【請求項１】
可撓性を有する素材から成り、所定の幅に形成された帯本体と、
当該帯本体に設けられ、当該帯本体に巻き付くことにより当該帯本体の中央部を撓ませた状態で保持して蝶形に形成する帯状の結束片と、
上記帯本体に設けられ、上記結束片及び当該結束片により蝶形に形成された帯本体を一体的に支持する平板状の支持片とを備えた付け帯。
【請求項２】
可撓性を有する帯状部材が上記帯本体の中央部と交差するように配置され且つ当該帯状部材の中央部が上記帯本体に縫い付けられており、当該縫い付けられた部位より一方側部分によって上記結束片が形成されると共に他方側部分に芯材が内挿されることによって上記支持片が形成されている請求項１に記載の付け帯。
【請求項３】
上記帯本体と上記帯状部材との境界に上記蝶形に形成された帯本体に巻回される第１固定紐がさらに備えられている請求項２に記載の付け帯。
【請求項４】
上記帯本体と上記帯状部材との境界に上記蝶形に形成された帯本体、上記結束片及び上記支持片を固定する第２固定紐がさらに備えられている請求項２又は３に記載の付け帯。
【請求項５】
上記可撓性を有する帯状部材は、上記帯本体と同様の幅を有し且つ上記帯本体と同様の素材からなり、長手方向に沿って中央で折り返されることにより構成される請求項２から４のいずれかに記載の付け帯。
【請求項６】
上記帯本体は、上記素材が長尺帯状に形成され且つ長手方向に折り返されて層構造を構成している請求項１から５のいずれかに記載の付け帯。
【考案の詳細な説明】
【技術分野】
【０００１】
この考案は、付け帯の構造に関するものである。
【背景技術】
【０００２】
一般に、着物の着付けには時間が掛かり、また熟練した者でなければ美しく着付けを行うことは困難である。特に帯は着物の後ろ姿の美しさを際立たせるものであり、美しい帯結びには熟練を要する。また、帯の結び方に問題があると着崩れを起こし易くなる。
【０００３】
着付けを容易に行うことができる帯として、たとえば、特許文献１〜２に記載されるような二部式の帯が知られている。二部式の帯は、ベルト状に胴体に止着する本体部と、帯を結んだ部分に対応する飾り部とから成る。飾り部は、既に帯が結ばれた形として整えられている。また、飾り部は、補助具等を介して本体部に容易に着脱可能である。このため二部式の帯で、帯の結びの形を形成する必要がなく、着付けに慣れていない者でも簡単に帯を着けることができる。
【先行技術文献】
【特許文献】
【０００４】
【特許文献１】特開平１０−１１０３１５号公報
【特許文献２】特開２００３−３０６８２０号公報
【考案の概要】
【考案が解決しようとする課題】
【０００５】
上述されたような二部式の帯であっても、取り扱いの点で十分ではなかった。既に結ばれた帯の形状が整えられた二部式の帯の飾り部は、形状が崩れないために外部からの衝撃に対する強度の強い素材で形成されている。また、形状の保存のために、二部式の帯の飾り部は一般的に箱に入れ持ち運びや収納がされている。このため、二部式の帯の飾り部は非常に嵩張るため、持ち運びしにくく、かつ収納に場所をとる。
【０００６】
本考案はかかる背景のもとになされたものであって、その目的は結ばれた帯の形状が容易に整えられ、帯の持ち運びが容易で、かつ収納に場所をとらない付け帯を提供することにある。
【課題を解決するための手段】
【０００７】
(1)本考案に係る付け帯は、可撓性を有する素材から成り、所定の幅に形成された帯本体と、当該帯本体に設けられ、当該帯本体に巻き付くことにより当該帯本体の中央部を撓ませた状態で保持して蝶形に形成する帯状の結束片と、上記帯本体に設けられ、上記結束片及び当該結束片により蝶形に形成された帯本体を一体的に支持する平板状の支持片とを備える。
【０００８】
本考案によると、帯本体が可撓性を有するため、当該帯本体を蝶形に形成することができる。また、結束片が上記帯本体に巻き付けられることにより、蝶形に形成された上記帯本体の形状が維持される。また、上記結束片及び支持片が上記帯本体に設けられているため、当該支持片は当該帯本体と当該結束片とを一体的に支持することができる。
【０００９】
また、当該帯本体に巻き付けられ上記結束片が当該帯本体から外されることにより当該結束片及び当該帯本体は、平らな形状に展開される。当該結束片及び当該帯本体は互いに結合されており、しかも上記支持片は平板状に形成されている。このため、当該付け帯は全体として平らな形状とすることができるため、当該付け帯一体としてシート状に折り畳まれる。
【００１０】
(2)本考案に係る付け帯は、可撓性を有する帯状部材が上記帯本体の中央部と交差するように配置され且つ上記帯状部材の中央部が上記帯本体に縫い付けられており、上記縫い付けられた部位より一方側部分によって上記結束片が形成されると共に他方側部分に芯材が内挿されることによって上記支持片が形成されていてもよい。
【００１１】
この構成では、上記帯状部材により上記結束片及び上記支持片が形成されているため、上記付け帯の構成がよりシンプルになり、折りたたみも容易になる。特に、上記帯状部材が、上記帯本体の中央部と交差しているため、上記帯状部材のうち結束片を構成する部分は、蝶形に撓まされた上記帯本体に簡単に巻き付くことができる。また、上記帯状部材のうち上記支持片を構成する部分に芯材が内挿されているため、上記支持片の剛性が向上し、蝶型に形成された上記帯本体及び上記結束片が確実に支持される。
【００１２】
(3)本考案に係る付け帯は、上記帯本体と上記帯状部材との境界に上記蝶形に形成された帯本体に巻回される第１固定紐がさらに備えられていてもよい。
【００１３】
上記帯本体に巻き付けられた上記帯状の結束片が、さらに上記第１固定紐により固定される。このため、蝶型に形成された上記帯本体の形状が確実に維持される。
【００１４】
(4)本考案に係る付け帯は、上記帯本体と上記帯状部材との境界に上記蝶形に形成された帯本体、上記結束片及び上記支持片を固定する第２固定紐がさらに備えられていてもよい。
【００１５】
上記第２固定紐が、たとえば上記付け帯の着用者の胴に巻きつけられることにより、上記支持片による上記帯本体及び上記結束片の支持がより確実なものとなる。  
【００１６】
(5)上記可撓性を有する上記帯状部材は、上記帯本体と同様の幅を有し且つ上記帯本体と同様の素材からなり、長手方向に沿って中央で折り返されることにより構成されていてもよい。
【００１７】
上記帯状部材と、上記帯本体とが同様の素材からなることで、それぞれが連続する一本の帯から形成されているような外見を呈する。
【００１８】
(6)上記帯本体は、上記素材が長尺帯状に形成され且つ長手方向に折り返されて層構造を構成していてもよい。  
【００１９】
上記帯本体が長手方向に折り返されて層構造とされることで、上記帯本体のボリュームが増え、付け帯全体としての見た目が華やかになる。
【図面の簡単な説明】
【００２０】
【図１】図１は、本考案の一実施形態に係る付け帯１０の使用状態での斜視図である。
【図２】図２は、本考案の一実施形態に係る付け帯１０の帯本体１３の平面図である。
【図３】図３は、本考案の一実施形態に係る付け帯１０の帯本体１３の斜視図である。
【図４】図４は、本考案の一実施形態に係る付け帯１０の帯本体１３の斜視図である。
【図５】図５は、本考案の一実施形態に係る付け帯１０の斜視図である。
【図６】図６は、本考案の一実施形態に係る付け帯１０の斜視図である。
【図７】図７は、帯状部材１４の斜視図である。
【図８】図８は、本考案の一実施形態に係る付け帯１０の帯の結ばれた形状に整えられた状態を示す斜視図である。
【図９】図９は、本考案の一実施形態に係る付け帯１０の帯の結ばれた形状に整えられた状態を示す斜視図である。
【考案を実施するための形態】
【００２１】
以下、本考案の好ましい実施形態が、適宜図面が参照されながら説明される。
【００２２】
［付け帯１０の概略］
【００２３】
図１は、着物１１の着用者が本実施形態に係る付け帯１０を着物１１に装着した状態を示している。この着用者は、着物１１にベルト部１２を巻き付け、その上に付け帯１０を装着している。すなわち、本実施形態では、着用者はいわゆる二部式の帯を採用している。
【００２４】
本実施形態に係る付け帯１０の特徴とするところは、付け帯１０が立体的に綺麗に結ばれた形状となり且つその状態が維持されるうえ、図２が示すように、付け帯１０が使用されないときは全体としてシート状にコンパクトに折り畳まれるようになっている点である。
【００２５】
図２から図４が示すように、付け帯１０は、帯本体１３と、帯状部材１４と、第１固定紐１７及び第２固定紐１８とを含む。図２が示すように、帯状部材１４は、帯本体１３に縫い付けられており、第１縫合部１９が形成されている。後に詳述されるが、帯状部材１４は、結束片１５及び支持片１６を有する。これらは、上記第１縫合部１９を境界として帯状部材１４の一方側部分及び他方側部分により構成される。以下、付け帯１０の構造が詳細に説明される。
【００２６】
［帯本体１３］
【００２７】
帯本体１３は、可撓性を有する素材からなる。図２が示すように、帯本体１３は、全体として矩形状を呈し、所定の幅寸法Ｂとなるように形成されている。図２ないし図５が示すように、帯本体１３は、上記素材が重ね合わされることにより形成されている。すなわち、細長帯状の素材が、その長手方向に折り返され、互いに重ね合わされることにより、上記帯本体１３が構成されている。そして、図５及び図６が示すように、帯本体１３の所定の位置で当該素材が縫い合わされており、この縫い合わされた部分により第２縫合部２０が形成されている。第２縫合部２０は、帯本体１３の短手方向に二カ所以上平行に並んだ状態で形成されている。第２縫合部２０は好ましくは二カ所（２０ａ及び２０ｂ）であり、第１縫合部１９と併せて、第１縫合部１９に近い方から２０ａ及び２０ｂが帯本体１３の短手方向に等間隔に平行に形成されている。形成された第１縫合部１９及び二カ所の第２縫合部２０ａ及び２０ｂは、帯本体１３を帯本体１３の短手方向に等間隔に四等分する。
【００２８】
上記素材としては、典型的には和装用の帯として使用される布地（シルク）が好ましいが、これに限定されることなく可撓性を有する素材であれば他の布地等が使用され得る。帯本体１３の上記幅寸法Ｂについては、一般的に和装用の帯として使用される寸法が好ましい。また、帯本体１３の長手方向の寸法Ｌについては、一般的な帯の結びが作られた場合と同様の寸法に調整される。また、上記素材の折り返し数は、当該素材が２層から４層に重なるように設定され得る。
【００２９】
［帯状部材１４］
【００３０】
図２ないし図４が示すように、帯状部材１４は、細長の矩形状に形成されている。図２が示すように、帯状部材１４は、帯本体１３と交差（本実施形態では直交）している。前述のように、帯状部材１４は、第１縫合部１９を境界にして、同図の上側部分により結束片１５が構成されており、下側部分により支持片１６が構成されている。
【００３１】
本実施形態では、帯状部材１４は、帯本体１３を構成する素材と同様の素材からなる。図７が示すように、この素材がその長手方向に沿って中央で折り返されることにより、帯状部材１４が形成されている。図７（ａ）が示すように、支持片１６は、芯材２３を内蔵しており、所要の剛性を備えている。芯材２３としては、たとえばポリ塩化ビニル（ＰＶＣ）が採用され得る。ただし、これに限定されるものではなく、支持片１６の所要の剛性を確保することが可能であれば、他の材料が採用され得る。図７（ｂ）が示すように、本実施形態では、芯材２３は、支持片１６を構成する素材と縫い合わされて固定されている。この縫い合わされた部分により第３縫合部２４が形成されている。
【００３２】
本実施形態では、帯状部材１４のうち、支持片１６に該当しない部分が、結束片１５となる。言い換えると、結束片１５は、帯状部材１４のうち芯材２３を内蔵していない部分である。そして、図７（ｂ）が示すように、結束片１５側の帯状部材１４の所定の位置で当該素材が縫い合わされており、この縫い合わされた部分により第４縫合部２５が形成されている。第４縫合部２５は、帯状部材１４の結束片１５側の端から後に詳述される第１接着部２１の位置まで縫い合わされる。
【００３３】
図７（ａ）及び図７（ｂ）が示すように、帯状部材１４の片側の面２６に、上記第１接着部２１及び第２接着部２２がそれぞれ所定の位置に縫い付けられる。上記片側の面とは、図２における帯本体１３と対峙する面である。これにより、図３が示すように、結束片１５の所定の位置には第１接着部２１が露出する。また、図４及び図５が示すように、支持片１６の所定の位置に第２接着部２２が形成される。本実施形態では、第１接着部２１及び第２接着部２２として面ファスナーが採用されるが、これに限定されることなく布同士を着脱できるものであれば他の接着手段が採用され得る。
【００３４】
［第１固定紐１７］
【００３５】
第１固定紐１７は、紐状の素材から成る。第１固定紐１７は、幅Ｂ方向に撓めた帯本体１３に巻き付けられた後に第１固定紐１７の端同士が結節され得る長さを有する。また、図３及び図４が示すように、第１固定紐１７は、帯本体１３の長手方向と交差（本実施形態では直交）するように配置される。第１固定紐１７の中央部は、帯状部材１４とともに帯本体１３に第１縫合部１９で縫い合わされる。詳細に説明すると、第１固定紐１７の中央部は、帯本体１３と帯状部材１４との境界であって帯状部材１４の中央付近に縫い付けられる。また、第１固定紐１７は、帯状部材１４の長手方向に延伸する。
【００３６】
［第２固定紐１８］
【００３７】
第２固定紐１８は、和装用の着付けに使用されるような平紐が採用されるが、これに限定されるものではない。第２固定紐１８は、少なかれ着用者の胴部に巻き付けた後に第２固定紐１８の端同士が結節され得る長さを有する。図４が示すように、第２固定紐１８の中央部は、帯本体１３と支持片１６との境界であって、第１縫合部１９に沿って配置される。また、第２固定紐１８の中央部は、帯本体１３と縫い合わされて、上述の配置された位置に固定される。これにより、第５縫合部２７が形成される。本実施形態では、第５縫合部２７の支持片１６に沿った一辺は、第１縫合部１９と同じ場所に形成される。このため、第５縫合部２７の一辺は、第１縫合部１９と重なる。
【００３８】
［付け帯１０の使用要領と作用効果］  
次に、本実施形態に係る付け帯１０の使用方法について説明する。
【００３９】
この付け帯１０では、帯本体１３の中央部は、帯本体１３の幅Ｂ方向に撓ませられる。図１が示すように、本実施形態では、この帯本体１３の中央部は、蛇腹状に谷−山−谷−山−谷となるように撓ませられる。言い換えると、図４が示すように、帯本体１３の幅Ｂ方向の縁部１３Ａが谷であり、縁部１３Ａから順に第１縫合部１９が山、第２縫合部２０ａが中央の谷、第２縫合部２０ｂが山、縁部１３Ｂが谷となるように帯本体１３が折りたたまれる。これにより、帯本体１３の中央部の幅が均等な幅で幅Ｂ方向に撓ませられ、帯本体１３が一定の蝶形に形成される。
【００４０】
撓ませられた帯本体１３の中央部に、第１固定紐１７が巻回される。続けて、第１固定紐１７の両端同士がくくり止められる。これにより帯本体１３の撓みが維持される。
【００４１】
第１固定紐１７がくくり止められた上に、結束片１５が巻きつけられる。第１固定紐１７は結束片１５で覆われるため、第１固定紐１７が外部から視認され得なくなる。続いて、結束片１５上の第１接着部２１及び支持片１６上の第２接着部２２は、互いに接着される。これにより、結束片１５が帯本体１３を巻回する状態が維持される。たとえば、くくり合わせた第１固定紐１７がほどけた場合であっても、結束片１５が固定されているため、結束片１５は帯本体１３の撓みを維持できる。
【００４２】
図８は、形状を整えた付け帯１０を着用者が装着した場合における着用者側から見た斜視図である。図８が示すように、結束片１５は、帯本体１３の撓みを維持すると同時に、付け帯１０の結び目となる部分を形成する。蝶形に形成された帯本体１３及び結束片１５を一体として、帯の結ばれた部分が形成される。このため着付けに慣れていない者でも美しく結ばれた帯の形状を容易に整えることができる。
【００４３】
また、帯状部材１４及び帯本体１３が同様の素材から形成されることで、それぞれが連続する一本の帯から形成されているように見せることができる。
【００４４】
図８において、帯本体１３のハッチングの掛かった部分は、帯本体１３の素材が裏側であることを示す。帯本体１３の素材がリバーシブルならば、帯本体１３の素材の裏側の色や模様などが表側と異なるため、非対称な美観を施すことができる。
【００４５】
図９は、帯を結んだ形に形成された付け帯１０の斜視図である。本実施形態では、図９が示すように、支持片１６は、結束片１５と連続して形成されている。このため支持片１６は、連続する結束片１５及び結束片１５が束ねる帯本体１３を一体的に支持することができる。また、結束片１５は、帯本体１３の幅Ｌ方向と直行するように帯本体１３を巻回している。このため、支持片１６は、帯本体１３幅Ｌ方向と直行するように帯本体１３を支持することができる。
【００４６】
さらに、図９が示すように、支持片１６は、平板状に形成されている。支持片１６に芯材が内挿されることにより、支持片１６の剛性が増す。このため、支持片１６は、は着物１１の上からベルト状に巻かれ胴体に止着されたベルト部１２同士の間、またはベルト部１２と着物１１との間に上方から差し込むことができる。支持片１６は、上記ベルト部１２や着物１１等の間で挟み込まれるため、支持片１６が一定の位置に固定される。
【００４７】
また、帯状部材１４の剛性が増すことに加え、支持片１６の厚みも増す。このためベルト部１２の間や着物１１とベルト部１２の間に差し込まれた支持片１６は、その動きが抑制される。このため、舞踊などの激しい動作を行った時でも、当該付け帯の形が損なわれることなく、見た目の美しさが保たれる。
【００４８】
第２固定紐１８を着用者の胴に巻きつけた状態で第２固定紐１８同士を結びつけることで、付け帯１０を着用者の胴に対してさらに強く固定することが可能となる。これにより、激しい動作を行った時でも、付け帯１０のずれを抑止することができる。
【００４９】
さらに、着用しない時には、付け帯１０は、帯本体１３の立体的な蝶形を崩すことができる。図２が示すように、付け帯１０全体として平らな形状とすることが可能である。さらに付け帯１０は、そのほとんどが可撓性を有する素材から構成されているため、付け帯１０は折り畳むことができる。このため、取り扱いの点で嵩張らないため、付け帯１０の持ち運びが容易となり、且つコンパクトに収納することができる。
【００５０】
［変形例］
【００５１】
付け帯１０の帯本体１３は、一層で形成されるものであってもよい。また、帯本体１３の層を複数にし、それらの層ごとの長手方向の長さを変えることも又は同一にすることも可能である。さらに、帯本体１３の左右の長さを非対称に異なる長さとすることもできる。帯本体１３が長手方向に折り返されて層構造とされることで、帯本体１３のボリュームやバリーションが増え、付け帯１０全体としての見た目を華やかにすることができる。このため、このため着付けに慣れていない者でも、多種多様な結ばれた帯の形状を簡単に整えることができる。
【００５２】
付け帯１０の帯の結びの種類としては、たとえば文庫結び、蝶結び、一文字またはこれらにアレンジを加えたものが採用され得る。
【００５３】
また、和装用の帯としてだけではなく、たとえば洋装のドレスの腰部分を飾る帯としても使用できる。
【００５４】
上述されたの構成は一例であり、本考案の技術的範囲を外れない限りにおいて、細部の形状やデザインは適宜変更されうるものである。
【符号の説明】
【００５５】
１０・・・付け帯
１１・・・着物
１２・・・ベルト部
１３・・・帯本体
１３Ａ・・縁部
１３Ｂ・・縁部
１３・・・帯本体
１４・・・帯状部材
１５・・・結束片
１６・・・支持片
１７・・・第１固定紐
１８・・・第２固定紐
１９・・・第１縫合部
２０・・・第２縫合部
２１・・・第１接着部
２２・・・第２接着部
２３・・・芯材
２４・・・第３縫合部
２５・・・第４縫合部
２６・・・面
２７・・・第５縫合部
【図１】
0003194868.tif 000003
【図２】
0003194868.tif 000004
【図３】
0003194868.tif 000005
【図４】
0003194868.tif 000006
【図５】
0003194868.tif 000007
【図６】
0003194868.tif 000008
【図７】
0003194868.tif 000009
【図８】
0003194868.tif 000010
【図９】
0003194868.tif 000011